(57)【要約】【課題】ボトル飲料から内容液をストローで飲めるようストロー付きボトルネッカーを提供する。【解決手段】ボトルネックへの挿着手段として開口部２を設けたボトルネッカーであって、開口部２以外の所定の位置に、４方シール袋に相当するストロー収納部３を設け、その中に少なくとも中央部に蛇腹加工を施したストローＳをコンパクトに収納させる。また、前記開口部２以外は、情報標示部分として利用し、ボトルネッカーが本来有する情報媒体としての機能はそのまま残す。また、開口部１の径をボトルネックが通過する最小に留め、開口部１の端縁に開口部の中心に向かって突出する突出片６を設けるようにしてもよい。【選択図】図１
2004010159.tif 000002
【特許請求の範囲】
【請求項１】
ボトルネックへの挿着手段として開口部を設けたボトルネッカーであって、該ボトルネッカーの所定の位置にストロー収納部が形成され、該ストロー収納部にストローが収納されていることを特徴とするストロー付きボトルネッカー。
【請求項２】
前記ストロー収納部に収納されるストローが、少なくとも中間部に蛇腹加工を施したことを特徴とする請求項１記載のストロー付きボトルネッカー。
【請求項３】
前記ストロー収納部をも包含する前記開口部以外のすべての表面領域における所定の位置に情報標示領域が形成されていることを特徴とする請求項１又は２記載のストロー付きボトルネッカー。
【発明の詳細な説明】
【０００１】
【発明の属する技術分野】
本発明は、個々の飲料用ボトル製品に挿着されるボトルネッカーに関し、特にボトルネッカーにストローが添付されたストロー付きボトルネッカーに関する。
【０００２】
【従来の技術】
ボトルのボトルネックに挿着されて使用されるボトルネッカーは、商品広告、内容標示等情報標示領域を有する情報媒体として使用され、紙、板紙によるものが主体であったが、近年、トレーディングカードやキャラクター商品等をベタ付けのプレミアム商品として収納できるようにした小袋包装袋を兼用するプラスチックフィルムによるものも使用されている。
飲料用のボトル製品には、場合によってストローを必要とする場合があるが、個々のボトル製品にストローを付けることは、小型紙容器による飲料製品と異なり、主として取り付けの困難さ、物流に支障をきたす等の理由から一般化していない。
【０００３】
【発明が解決しようとする課題】
近年、小型のボトル飲料容器、特にペットボトルがインドアー、アウトドアーを問わず使用されているが、その利用時にはラッパ飲みが一般的であって、特に子供の場合は、内容液をこぼし易く、衛生的にも問題がある。また、かかる飲み方は、ドライブ中においては一時的に視界が遮られて危険を伴う問題もある。そこで、小型紙容器のようにストローを各ボトルに取り付けようとしても、主として物流上の問題から実現が難しく、またボトルの底までとどく長めのストローを必要とする問題がある。
本発明は前記の問題点に鑑みてなされたもので、本発明は、個々のボトル飲料容器に直接ストローを取り付ける代わりに、個々のボトル飲料容器に挿着されるボトルネッカーを介してストローを供給し、このストローを使用して内容液を安全に、衛生的に飲めるようにするためのストロー付きボトルネッカーの提供を目的とする。
【０００４】
【課題を解決するための手段】
前記課題を解決するためになされた本発明によるストロー付きボトルネッカーは、ボトルネックへの挿着手段として開口部を設けたボトルネッカーであって、該ボトルネッカーの所定の位置にストロー収納部が形成され、該ストロー収納部にストローが収納されていることを特徴とするものであり、
また、前記ストロー収納部に収納されるストローが、少なくとも中間部に蛇腹加工を施したことを特徴とするものであって、
前記ストロー収納部をも包含する前記開口部以外のすべての表面領域における所定の位置に情報標示領域を形成することができる。
【０００５】
【発明の実施の形態】
本発明を図面によりさらに詳細に説明する。
図１は、本発明によるストロー付きボトルネッカーの一実施例の説明図である。
図１（ａ）は平面図、図１（ｂ）は図１（ａ）のＡ，Ａ’断面図である。
本発明によるストロー付きボトルネッカー１０には、図１（ａ）に示すように、略矩形状の少なくとも２枚のプラスチックフィルムからなる基材１の一端に設けられたボトルネックに対する挿着手段としての開口部２と他端側にストローＳを収納するストロー収納部３とが設けられている。開口部２の周辺部４はヒートシールされている。
ストロー収納部３は、４方シール袋となっていて、ストロー収納部３の周辺はヒートシールされている。そして、ストローＳはストロー収納部３の中に密閉状態で収納されている。
この４方シールであるが、ストローＳの効率的な充填を考慮して、ストロー収納部３の周辺部のうちの下部を除く３方をヒートシールしておき、ストローＳを開放している下部から充填後、下部をヒートシールするようにしてもよい。
当図において、ストローＳは透視可能に描かれているが、実際には、ホワイト印刷インキをベタ刷りしてストローＳを透視できないようにし、そのインキ層の上からボトルネッカーとして必要な標示を印刷することもできる。そうすることによって、開口部２以外の表面領域は全て情報標示領域であって、情報媒体としての本来ボトルネッカーが有する機能をそのまま持たせることができる。
また、ストロー収納部３の周辺には、ストロー収納部３を開封するためのノッチ５、あるいは切り込み５が設けられている。
なお、開口部２の内径はボトルネックが通過できる最小限度の大きさとし、図１（ａ）に示すように突出片６を設けておき、ボトルネックへの挿着時にストロー付きボトルネッカー１０が回転しずらくするようにしてもよい。
【０００６】
図２は、本発明によるボトルネッカーの別の実施例の説明図である。
図２（ａ）は平面図、図２（ｂ）は図２（ａ）のＢ，Ｂ’断面図である。
本発明によるストロー付きボトルネッカー１０には、図２（ａ）に示すように、少なくとも２枚以上の矩形状のプラスチックフィルムからなるベース基材１の略中央に打ち抜かれた開口部２とその周辺にストローＳを収納する環状のストロー収納部３が形成されている。すなわち、ストロー収納部３は、図２に示すようなシール袋における略環状の空間部分であって、そのストロー収納部３の内外の周辺部４は、ヒートシールがなされていて、ストローＳは密閉状態に収納されている。
このような状態にストローＳを密閉充填するには、深絞り包装の技術が適用される。すなわち、ストロー収納部３の形状に応じて形成された凹部を有する真空成形金型を用い、先ず、基材１となる裏側のプラスチックフィルムを真空成形してできた窪みの中に略円形に折り曲げたストローＳを押し込みその上から表側のプラスチックフィルムを被せて、少なくとも周辺部４でヒートシールするようにすればよい。
図２（ａ）において、ストロー収納部３の上下に連接する矩形状の延長部分は、ボトルネッカーが本来有する情報媒体として機能する情報標示部分である。この部分は、必ずしも両側になくてもいずれか一方にあればよい。さらに、必要の応じてストロー収納部３とその周辺部４も情報標示部分として使用してもよい。図２において、ストローＳは透視可能に描かれているが、図１で示す実施例と同様に、ベタ印刷インキによって透視出来ないようにし、そのインキ層の上から必要な情報を印刷することができる。
また、収納部３の周辺には、収納部３を開封するためのノッチ５、あるいは切り込み５が設けられている。
なお、開口部２の内径は、ボトルネックが通過する最小限度の大きさとし、図２（ａ）に示すように突出片６を設けておいて、ボトルネックへの挿着時にストロー付きボトルネッカー１０が回転しずらくするようにしてもよい。
【０００７】
図３は、本発明によるストロー付きボトルネッカーに収納されるストローの説明図である。
本発明に利用されるストローＳは、好ましくは、少なくともその中央部に蛇腹加工を施したものであって、両端のストレートな部分は、飲み口と差し込み口になると同時に、両手で持って蛇腹を伸長させるときに有効な部分である。
この蛇腹加工は、図３（ａ）に示すような連続的に加工したものでも、図３（ｂ）に示すような断続的に加工したものでもよい。
そして、蛇腹加工部分は、図３（ｃ）に示すように、ストローＳに伸縮性と折曲性を付与することができる。従って収納時には、極めてコンパクトなサイズでストロー収納部３に収納することがき、使用時には必要な長さにまで引き延ばして使用することができる。
ストローＳのサイズは、ボトル容器の大きさ、とそれに挿着されるボトルネッカーの大きさによって適宜決定すればよい。一例をあげれば、飲み口部は、飲みやすいように４０〜５０ｍｍのストレート部とし、反対側の差し込み側は、引っ張りやすいように２０ｍｍ程度のストレート部とし、中間部に収縮時で８５ｍｍ程度の蛇腹加工部を施せば、全長が１４５〜１５５ｍｍのストローＳとなる。そして、この中間部は２．７倍くらいに伸長するので、伸長時の全長は２９０ｍｍとなり、２６０ｍｍの深さのあるボトルに使用ができる。
ストローＳの材質には蛇腹加工性のあるポリプロピレン樹脂の使用が好ましく、またその口径、肉厚は適宜選ぶことができる。
【０００８】
本発明によるボトルネッカー用の基材１には、適度に剛性があって印刷適性に優れ、厚みが１０〜７０μｍの範囲にあって、通常の軟包装材料に使用されている内面にヒートシーラント層を有するものであればどのようなものでもよく、また図２に示した別の実施例の場合のように予め真空成形が必要な場合には成形性のある比較的厚手で剛性のあるプラスチックフィルムが使いやすい。かかる厚めのプラスチックフィルムを使用する場合には、図２（ａ）に示すように罫線、もしくはミシン目７を予め設けておき、ボトルネックに挿着後両側部が下部に垂れ下がりやすくするようにしてもよい。
また、使用するプラスチックフィルムは、必ずしも単層である必要はなく、内面と外面あるいはそのいずれかのフィルムに積層フィルムを用いるようにしてもよい。
積層構成の一例を挙げれば、例えば、表面から順に次の如きものである。
ＯＰＰ２０ｍμ／印刷層／接着層（ドライラミネート用）／蒸着層（光沢層）／ＣＰＰ２５ｍμ
ここで、ＯＰＰ：２軸延伸ポリプロピレン樹脂
ＣＰＰ：無延伸ポリプロピレン樹脂
【０００９】
情報標示のための印刷は、通常の軟包装に適用される印刷法であればいかなる方法を採用してもよいが、グラビア印刷法がもっとも効果的である。
本発明によるストロー付きボトルネッカー１０の基材１にプラスチックフィルムを採用する場合に、本発明によるストロー付きボトルネッカー１０は、少なくとも２枚のフィルムによって構成されているので、表面側のプラスチックフィルムの裏面に印刷する、所謂裏刷りが、印刷面の汚れ防止、傷の防止、さらにフィルムの光沢を利用できることから好ましい。
【００１０】
本発明によるストロー付きボトルネッカー１０は、従来のものと同様に情報提供機能を合わせ有するものである。その標示部分は前述のように開口部２以外の部分であればどの部分を利用してもよい。
本発明によるストロー付きボトルネッカー１０が扱うことができる情報としては、広告商品名、販売会社名、キャンペーン等の告知の他に各製品に固有につけられた「個別ナンバー」、バーコード、インターネットアドレス等の標示もできる。
このインターネットアドレスにアクセスすることによって抽選やゲーム、プレゼント（着メロの無料ダウンロードなど）などのサービスを受けることができる。
また、個別ナンバーから、製造年月日、製造場所、販売場所など製造、販売情報が追跡できる。
さらに、インターネットによるアクセスによって、消費者の属性がわかり、上記の製造情報・販売情報と組み合わせることで、ターゲットを絞ったマーケティングができる。
【００１１】
本発明によるストロー付きボトルネッカー１０は、以上の実施の態様の記載と図面に限定されることなく、本発明の要旨を逸脱しない範囲内で種々の変形が可能である。
例えば、本発明によるストロー付きボトルネッカーの平面形状は矩形に限定されず自由である。また、ストローの折り曲げ形状も自由である。さらにノッチ若しくは切り込み５の位置も開封可能な範囲であれば何処に設けてもよい。さらにまた、突出片６の形状等も自由に決めることができる。
なお、本発明によるボトルネッカーが対象とする飲料容器は、主として３５０〜７００ｍｌの範囲のボトル飲料容器であるが、この範囲に限定されることはない。
【００１２】
【発明の効果】
本発明によれば、少なくとも中央部に蛇腹加工を施したストローをボトルネッカーにコンパクトに収納することによって、ボトルネッカーを介してストローを供給することができ、またストローを必要な長さに伸長させて、ボトル飲料を安全に、且つ衛生的に飲用することができる。
なお、ボトルネッカーにストローを収納させても、ボトルネッカーが本来有する情報媒体としての機能はそのまま保有される。
【図面の簡単な説明】
【図１】本発明によるストロー付きボトルネッカーの一実施例の説明図
【図２】本発明によるストロー付きボトルネッカーの別の実施例の説明図
【図３】本発明によるストロー付きボトルネッカーに収納されるストローの説明図
【符号の説明】
１　　基材
２　　開口部
３　　ストロー収納部
４　　ヒートシール部
５　　ノッチ、切り込み
６　　突出片
１０　　ストロー付きボトルネッカー
Ｓ　　ストロー
【図１】
2004010159.tif 000003
【図２】
2004010159.tif 000004
【図３】
2004010159.tif 000005